(57)【要約】【課題】投入済みのジョブを簡便且つ迅速にキャンセルする。【解決手段】画像処理装置１０において、印刷ジョブの停止要求を受け付けると、ジョブ停止部１６ｂは、印刷中の印刷ジョブを停止させる。操作部１２は、待機画面を操作部１２に表示し、ログイン要求を受け付ける。ログイン処理部１３は、ログイン処理を行い、ログイン成功のときには、入力された第１の利用者ＩＤを保持する。利用者情報照合部１５は、停止中の印刷ジョブの第２の利用者ＩＤと、入力された第１の利用者ＩＤとを照合する。一致しなかったときには、ジョブ再開部１６ｃは、現在停止中の印刷ジョブを再開する。【選択図】図１
2013045333.tif 000002
【特許請求の範囲】
【請求項１】
各種メッセージを表示すると共に、利用者の操作情報を入力する操作部と、
利用者情報がそれぞれ付加された複数のジョブを順次受け付けて実行するジョブ実行部と、
前記操作部によりジョブ停止要求が入力されたときには、前記ジョブ実行部において実行中の前記ジョブの実行を停止させて前記ジョブを停止中とするジョブ停止部と、
前記操作部により入力された第１の前記利用者情報に基づき、ログイン処理を行って前記利用者の正当性を確認するログイン処理部と、
前記ジョブ実行部において停止中の前記ジョブに付加された第２の前記利用者情報と、前記操作部により入力された前記第１の利用者情報と、を照合して一致又は不一致の照合結果を出力する利用者情報照合部と、
前記照合結果が前記不一致のときには、前記停止中の前記ジョブの実行を再開させるジョブ再開部と、
を有することを特徴とする画像処理装置。
【請求項２】
請求項１記載の画像処理装置は、更に、
前記照合結果が前記一致のときには、前記第１の利用者情報と、前記利用者情報がそれぞれ付加された前記複数のジョブにおける前記利用者情報とを比較し、複数の前記利用者情報のうち、前記第１の利用者情報に一致する前記利用者情報が付加されている前記ジョブのリストを作成して前記操作部に表示するリスト表示部と、
前記利用者により前記リストから選択された前記ジョブを特定する情報が前記操作部により入力されると、入力された前記情報に対応する前記ジョブの実行を中止するジョブ中止部と、
を有することを特徴とする画像処理装置。
【請求項３】
請求項１又は２記載の画像処理装置は、更に、
前記ジョブ停止部により停止された前記ジョブの前記停止中の経過時間を計時するタイマ部を有し、
前記ジョブ再開部は、
前記経過時間が所定の時間になると前記停止中の前記ジョブの実行を再開させることを特徴とする画像処理装置。
【請求項４】
前記ジョブ再開部は、更に、
前記再開させた前記ジョブが終了したときに、ログイン状態であったときには、前記利用者情報照合部に、前記第１の利用者情報と前記ジョブの次の印刷待ち中のジョブに付加された第４の前記利用者情報とを照合させ、一致したときには、前記ジョブ停止部に前記印刷待ち中のジョブを停止中にさせ、不一致のときには、前記ジョブ実行部に前記印刷待ち中のジョブを実行させる機能を有することを特徴とする請求項１〜３のいずれか１項に記載の画像処理装置。
【請求項５】
前記ジョブは、
記録媒体に画像を形成する印刷ジョブであることを特徴とする請求項１〜４のいずれか１項に記載の画像処理装置。
【請求項６】
前記ログイン処理部は、
前記操作部により入力された前記第１の利用者情報と、登録された複数の第３の前記利用者情報とを比較し、前記複数の第３の利用者情報のうちに前記第１の利用者情報と一致するものがあるときには、前記操作部により入力された前記第１の利用者情報は、正当であると判定してログイン成功とし、前記複数の第３の利用者情報のうちに前記第１の利用者情報と一致するものがないときには、前記操作部により入力された前記第１の利用者情報は、不当であると判定してログイン不成功とすることを特徴とする請求項１〜５のいずれか１項に記載の画像処理装置。
【発明の詳細な説明】
【技術分野】
【０００１】
本発明は、ジョブを受け付けて画像処理を行う画像処理装置に係り、特にその画像処理装置におけるジョブの制御に関するものである。
【背景技術】
【０００２】
従来、秘匿性の高い文書を処理する際、セキュリティの観点から利用者にパスワードの入力を促し、認証を行ってからジョブの処理を開始する画像処理装置が知られている。下記の特許文献１には、秘匿性の高い文書の印刷ジョブを実行する直前に、この印刷ジョブを依頼した情報処理装置に対し、印刷可能通知を送信して利用者のパスワード入力を促す画像処理装置が記載されている。このような、画像処理装置においては、秘匿性の高い文書の印刷ジョブをキャンセルする場合には、利用者にパスワード入力を促して、認証を行ってから印刷ジョブをキャンセルすることになる。
【先行技術文献】
【特許文献】
【０００３】
【特許文献１】特開２００８−１４２９００号公報
【発明の概要】
【発明が解決しようとする課題】
【０００４】
しかしながら、従来の画像処理装置では、投入済みのジョブをキャンセルする際に、パスワード入力等の認証を行うと、実際にジョブがキャンセルされるまでに時間がかかってしまうという課題があった。
【課題を解決するための手段】
【０００５】
本発明の画像処理装置は、各種メッセージを表示すると共に、利用者の操作情報を入力する操作部と、利用者情報がそれぞれ付加された複数のジョブを順次受け付けて実行するジョブ実行部と、前記操作部によりジョブ停止要求が入力されたときには、前記ジョブ実行部において実行中の前記ジョブの実行を停止させて前記ジョブを停止中とするジョブ停止部と、前記操作部により入力された第１の前記利用者情報に基づき、ログイン処理を行って前記利用者の正当性を確認するログイン処理部と、前記ジョブ実行部において停止中の前記ジョブに付加された第２の前記利用者情報と、前記操作部により入力された前記第１の利用者情報と、を照合して一致又は不一致の照合結果を出力する利用者情報照合部と、前記照合結果が前記不一致のときには、前記停止中の前記ジョブの実行を再開させるジョブ再開部とを有している。
【発明の効果】
【０００６】
本発明の画像処理装置によれば、投入済みのジョブの実行を停止させるときには、ログイン処理を実施することなく実行中のジョブを停止することができる。そのため、ジョブの停止に時間をかけることなく、迅速に実行中のジョブを停止することが可能となる。更に、ジョブの停止後にログインを行い、停止したジョブがログインした利用者と関連しない場合には、停止したジョブの印刷を再開させるので、他の利用者のジョブの実行を妨げることがない。
【図面の簡単な説明】
【０００７】
【図１】図１は本発明の実施例１における画像処理装置を示す構成図である。
【図２】図２は図１中の操作部を示す構成図である。
【図３】図３は図１中の利用者情報記憶部に記憶される利用者情報テーブルを示す図である。
【図４】図４は図１の画像処理装置に対する印刷ジョブの投入状態の例を示す図である。
【図５】図５は図１の画像処理装置に対する印刷ジョブの投入状態の例を示す図である。
【図６】図６は図１の画像処理装置に対する印刷ジョブの投入状態の例を示す図である。
【図７】図７は図２中のＬＣＤパネルに表示されるジョブ停止画面を示す図である。
【図８】図８は図２中のＬＣＤパネルに表示されるキャンセルジョブリスト画面を示す図である。
【図９】図９は本発明の実施例１における図１の画像処理装置の動作を示すフローチャートである。
【図１０】図１０は本発明の実施例２における画像処理装置を示す構成図である。
【図１１】図１１は図１０の画像処理装置に対する印刷ジョブの投入状態の例を示す図である。
【図１２】図１２は本発明の実施例２における図１０の画像処理装置の動作を示すフローチャートである。
【発明を実施するための形態】
【０００８】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【０００９】
（実施例１の構成）
図１は、本発明の実施例１における画像処理装置１０を示す構成図である。
【００１０】
画像処理装置１０は、例えば、電子写真方式のページプリンタであって、制御部１１と、操作部１２と、ログイン処理部１３と、利用者情報記憶部１４と、利用者情報照合部１５と、ジョブ処理部１６と、印刷部１７と、リスト表示部１８と、外部インターフェース（以下「Ｉ／Ｆ」という。）１９とを有している。画像処理装置１０は、外部Ｉ／Ｆ１９を介してネットワーク３０と接続されている。ネットワーク３０には、画像処理装置１０に印刷ジョブを依頼する複数の情報処理装置４０（＝４０−１，・・・４０−Ｎ）が接続されている。
【００１１】
制御部１１は、画像処理装置１０の全体を制御する機能を有している。操作部１２は、利用者からの入力操作を受け付けると共に、制御部１１からのメッセージを表示する機能を有している。例えば、操作部１２は、利用者の入力するジョブ停止要求や第１の利用者情報を入力してログイン要求を受け付け、制御部１１に通知する機能を有している。利用者情報は、利用者を一意に特定する利用者識別子（以下「ＩＤ」という。）から構成されているが、パスワードを付加してもよい。
【００１２】
ログイン処理部１３は、制御部１１の制御により、入力された第１の利用者情報に基づいてログイン処理を行う機能を有している。ログイン処理部１３は、利用者情報記憶部１５に予め登録されている複数の第３の利用者情報としての登録利用者情報と、操作部１２により入力された第１の利用者情報とを照合して、登録利用者情報の中に、入力された第１の利用者情報に一致するものがあれば、ログイン成功とし、登録利用者情報に入力された第１の利用者情報に一致するものがないときには、ログイン失敗とする処理を行う。
【００１３】
更に、ログイン処理部１３は、ログイン処理の結果を制御部１１に通知し、前記ログインが成功したときには、入力された第１の利用者情報を保持しておき、必要に応じて保持した第１の利用者情報を提示したり、制御部１１からログオフ指示を受けると、保持した第１の利用者情報を削除する機能を有している。
【００１４】
利用者情報照合部１５は、与えられた２つの利用者情報を照合して照合結果を出力する機能を有している。例えば、停止中のジョブに付加された第２の利用者情報と、操作部１２により入力された第１の利用者情報とを照合して照合結果を出力する機能を有している。
【００１５】
ジョブ処理部１６は、情報処理装置４０から依頼された印刷ジョブを管理して実行する機能を有している。ジョブ処理部１６は、印刷ジョブを実行するジョブ実行部１６ａと、印刷ジョブの実行を停止させるジョブ停止部１６ｂと、停止中の印刷ジョブの実行を再開させるジョブ再開部１６ｃと、依頼された印刷ジョブをキャンセルするジョブ中止部１６ｃとを有している。
【００１６】
ジョブ実行部１６ａは、印刷ジョブデータを受け付けて、画像データに変換し、印刷部１７に出力する機能を有している。印刷ジョブデータには、この印刷ジョブを依頼した利用者の利用者情報が付加されている。ジョブ実行部１６ａは、印刷中に新たに印刷ジョブを受け付けると、順次印刷ジョブキューに格納して管理するようになっている。ジョブ停止部１６ｂは、操作部１２がジョブ停止要求を入力したときには、ジョブ実行部１６ａにおいて実行中の印刷ジョブを停止中にする機能を有している。ジョブ再開部１６ｃは、停止中の印刷ジョブの実行を再開する機能を有している。更に、ジョブ中止部１６ｄは、指定された印刷ジョブをキャンセルする機能を有している。
【００１７】
印刷部１７は、ジョブ実行部１６ａから受け取った画像データを記録紙に印刷して定着し、排紙する機能を有している。この印刷部１７は、ジョブ処理部１６から印刷停止又はキャンセル要求を受けたならば、それぞれ印刷を停止、又はキャンセルするようになっている。但し、印刷部１７は、現在印刷中の記録紙においては印刷を継続して排紙した後に、指定されたジョブの実行を停止又はキャンセルにするようになっている。
【００１８】
リスト表示部１８は、実行中のジョブに付加された利用者情報と、操作部１２により入力された第１の利用者情報とを、利用者情報照合部１５により照合した結果、照合結果が一致のときに、操作部１２により入力された第１の利用者情報と、利用者情報がそれぞれ付加された複数のジョブにおける利用者情報とを比較し、複数の利用者情報のうち、第１の利用者情報に一致する利用者情報が付加されている印刷ジョブのリストを作成して操作部１２に表示する機能を有している。
【００１９】
外部Ｉ／Ｆ１９は、ネットワーク３０を介して、各情報処理装置４０（＝４０−１・・・４０−Ｎ）に対して各種プロトコルで通信する機能を有している。ネットワーク３０は、例えば、ローカルエリアネットワーク（以下「ＬＡＮ」という。）であり、インターネットプロトコルであるＴＣＰ／ＩＰ（Transmission  Control/Internet  Protocol）により通信するようになっている。
【００２０】
各情報処理装置４０は、例えば、パーソナルコンピュータであり、図示しないプリンタドライバを用いて、利用者情報が付加された印刷ジョブを画像処理装置１０に送信することにより、印刷ジョブを依頼するクライアントコンピュータに位置づけられる。
【００２１】
図２は、図１中の操作部１２を示す構成図である。
操作部１２は、各種メッセージを表示する液晶表示（以下「ＬＣＤ」という。）パネル１２ａと、数字入力を行うテンキー１２ｂと、停止要求を受け付けるストップキー１２ｃと、利用者から承認を受け付けるＯＫキー１２ｄと、ログオフ要求を受け付けるログオフキー１２ｅと、ＬＣＤパネル１２ａに表示された複数の選択項目を利用者に選択させる上下キー１２ｆとを有している。
【００２２】
図３は、図１中の利用者情報記憶部１４に記憶される利用者情報テーブル１４ａを示す図である。
【００２３】
利用者情報テーブル１４ａには、各画像処理装置１０にアクセス可能な複数の利用者の利用者ＩＤが登録されている。
【００２４】
（実施例１の動作）
図４、図５、及び図６は、それぞれ図１の画像処理装置１０に対する印刷ジョブの投入状態の例を示す図である。
【００２５】
図４、図５、及び図６において、ジョブｌ、ジョブ２、及びジョブ３の３つの印刷ジョブが投入されている。各図において、横方向は、印刷順序を示している。印刷順序は、ジョブｌ、ジョブ２、ジョブ３の順である。各図において、縦方向は、時間の経過に伴う印刷ジョブキューの状態変化を示している。印刷ジョブキューの状態変化は、例えば、図４の例では、ＪＡ１，ＪＡ２，ＪＡ３，ＪＡ４，ＪＡ５の順に経過することを示している。
【００２６】
図４のＪＡ１のジョブ１を例にとれば、利用者情報である利用者ＩＤが０００２、ファイル名がテストファイルＢ、印刷ジョブの状態が印刷中であることを示している。ここで、ファイル名は、印刷ジョブに付加された情報であり、印刷ジョブデータを示すファイル名称である。ファイル名の他に、ジョブを依頼した情報処理装置４０の名称であるホストコンピュータ名、ジョブを受け付けた受信時刻等の情報を印刷ジョブに付加してもよい。なお、本実施例１の動作の説明においては、利用者情報を単に利用者ＩＤと記載する。
【００２７】
図７は、図２中のＬＣＤパネル１２ａに表示されるジョブ停止画面を示す図である。
【００２８】
ログイン処理部１３は、利用者からのジョブ停止要求により、ジョブ停止部１６ｂが実行中の印刷ジョブを停止した後、利用者のログインを促すためにＬＣＤパネル１２ａにジョブ停止画面を表示する。画面の中央部には、ログインを促す
「ジョブを停止しています    ログインしてください」
のメッセージが表示され、その下方には、利用者ＩＤの入力フィールドが表示されている。
【００２９】
図８は、図２中のＬＣＤパネル１２ａに表示されるキャンセルジョブリスト画面を示す図である。
【００３０】
リスト表示部１８は、ログインした利用者の第１の利用者ＩＤと同じ利用者ＩＤが付加された印刷ジョブのファイル名のリストをＬＣＤパネル１２ａに表示し、利用者に対し、キャンセルすべきジョブの選択を促す。ＬＣＤパネル１２ａには、
「ジョブリスト表示    キャンセルしたいジョブを選択してください」
のメッセージが表示され、その下方には、キャンセル対象のファイル名がリスト表示されている。
【００３１】
図９は、本発明の実施例１における図１の画像処理装置１０の動作を示すフローチャートである。
【００３２】
画像処理装置１０には、図４、図５、及び図６に示したように情報処理装置４０からジョブが投入され、印刷ジョブキューの先頭のジョブが印刷中になっている。
【００３３】
画像処理装置１０の処理が開始され、ステップＳ１において、操作部１２は、制御部１１の指示に基づき、図２に示す待機画面を表示する。ステップＳ２において、利用者によりストップキー１２ｃが押下されと、操作部１２は、ストップキー１２ｃの押下を入力して印刷ジョブの停止要求を受け付け（ＹＥＳ）、制御部１１に通知してステップＳ３へ進む。停止要求を受け付けなければ（ＮＯ）、ステップＳ１へ戻る。
【００３４】
ステップＳ３において、制御部１１は、ジョブ処理部１６にジョブが存在するか否かを問い合わせる。ジョブが存在したときには（ＹＥＳ）、ステップＳ４へ進み、ジョブが存在しないときには（ＮＯ）、ステップＳ１へ戻る。
【００３５】
ステップＳ４において、ジョブ処理部１６のジョブ停止部１６ｂは、現在、印刷部１７で印刷中の印刷ジョブを停止させる。例えば、図４のＪＡ１のジョブ投入状態であれば、印刷ジョブの停止により、ジョブ投入状態は、ＪＡ２の状態となり、ジョブ１が印刷を停止して印刷停止中になる。印刷ジョブが停止されると、制御部１１の指示により、操作部１２は、図７に示すログイン用の待機画面をＬＣＤパネル１２ａに表示する。
【００３６】
ステップＳ５において、操作部１２は、テンキー１２ｂ及びＯＫキー１２ｄの押下により、利用者からログイン要求を受け付けると（ＹＥＳ）、ログイン要求と共にテンキー１２ｂにより入力された利用者ＩＤをログイン処理部１３に通知し、ステップＳ６へ進む。ログイン要求を受け付けていなければ（ＮＯ）、ステップＳ５へ戻る。
【００３７】
ステップＳ６において、ログイン処理部１３は、ログイン要求の通知を受けると、操作部１２により入力された第１の利用者ＩＤを用いてログイン処理を実行する。ステップＳ７において、ログイン処理部１３は、入力された第１の利用者ＩＤと、図３に示す利用者情報記憶部１４に格納された利用者情報テーブル１４ａ内の複数の第３の利用者情報である登録利用者ＩＤとを比較し、一致するものがあるときには、第１の利用者ＩＤは、正当であると判定してログイン成功とし（ＹＥＳ）、第１の利用者ＩＤを保持してステップＳ８へ進む。利用者情報テーブル１４ａ内の複数の登録利用者ＩＤのうちに入力された第１の利用者ＩＤと一致するものがないときには（ＮＯ）、第１の利用者ＩＤは、不当であると判断してログイン不成功とし（ＮＯ）、ステップＳ５へ戻り再度、ログイン入力を促す。
【００３８】
ステップＳ８において、利用者情報照合部１５は、ジョブ処理部１６から現在印刷停止中の印刷ジョブの第２の利用者ＩＤを取得する。利用者情報照合部１５は、取得した印刷停止中の印刷ジョブの第２の利用者ＩＤと、入力された第１の利用者ＩＤとを照合し、一致したときには（ＹＥＳ）、ステップＳ１０へ進む。一致しなかったときには（ＮＯ）、ステップＳ９へ進む。
【００３９】
例えば、操作部１２により入力された第１の利用者ＩＤが０００２であった場合に、ジョブ投入状態が図４のＪＡ２であれば、印刷停止中のジョブ１の利用者ＩＤは、０００２であるため、利用者ＩＤが一致し、ステップＳ１０へ進む。同様に、ジョブ投入状態が図６のＪＣ２であれば、印刷停止中のジョブ１の利用者ＩＤは、０００２であるため、利用者ＩＤが一致し、ステップＳ１０へ進む。ジョブ投入状態が図５のＪＢ２であれば、印刷停止中の印刷ジョブ１の利用者ＩＤは、０００１であるため、利用者ＩＤ不一致となり、ステップＳ９へ進む。
【００４０】
ステップＳ９において、ジョブ再開部１６ｃは、現在印刷停止中の印刷ジョブを再開し、印刷部１７への印刷を再開させる。例えば、図５のＪＢ２のジョブ投入状態であれば、印刷停止中のジョブ１は、利用者ＩＤが０００１であるため、ジョブ再開部１６ｃによって、現在印刷停止中のジョブ１の印刷を再開し、ジョブ投入状態は、ＪＢ３へ遷移する。
【００４１】
ジョブ再開部１６ｃは、再開させたジョブ１が終了したときに、ログイン状態であったときには、利用者情報照合部１５に、第１の利用者ＩＤとジョブ１の次の印刷待ち中のジョブ２に付加された第４の利用者ＩＤとを照合させ、一致したときには、前記ジョブ停止部１６ｂに前記印刷待ち中のジョブ２を停止中にさせ、不一致のときには、ジョブ実行部１６ａに印刷待ち中のジョブ２を実行させる。
【００４２】
ステップＳ１０において、リスト表示部１８は、ログイン処理部１３が保持している第１の利用者ＩＤを取得し、更に、ジョブ処理部１６から、現在投入されているすべてのジョブの利用者ＩＤを取得する。第１の利用者ＩＤと、すべての印刷ジョブの利用者ＩＤとを、利用者情報照合部１５によって照合し、利用者ＩＤが致した印刷ジョブのみをリストとして作成し、ジョブキャンセルの候補として操作部１２にリスト表示させる。
【００４３】
例えば、第１の利用者ＩＤが０００２の場合、図４のＪＡ３のジョブ投入状態であれば、ジョブ１及びジョブ３の利用者ＩＤが０００２であるため、ジョブ１とジョブ３とが操作部１２にリスト表示される。リスト表示の例が図８に示されている。図８において、印刷ジョブは、印刷ジョブデータのファイル名で識別されるようになっている。この場合、ファイル名は、印刷ジョブを特定する情報である。
【００４４】
ステップＳ１１において、利用者は、図２に示す上下キー１２ｆを用いて、キャンセルをすべき図８のテキストファイルＢ又はテキストファイルＣを選択し、ＯＫキー１２ｄを押下する。操作部１２によりＯＫキー１２ｄの押下が入力され、キャンセル要求が受け付けられると（ＹＥＳ）、ジョブ中止部１６ｃに対して、キャンセル要求と選択されたキャンセル対象ジョブが通知され、ステップＳ１３へ進む。キャンセル要求が受け付けられていなければ（ＮＯ）、ステップＳ１２へ進む。
【００４５】
ステップＳ１２において、操作部１２により、利用者によるログオフキー１２ｅの押下が入力されてログオフ要求が受け付けられると（ＹＥＳ）、ログイン処理部１３に対してログオフ要求が通知されて、ステップＳ１４へ進む。ログオフ要求が受け付けられていなければ（ＮＯ）、ステップＳ１１に戻る。
【００４６】
ステップＳ１３において、ジョブ中止部１６ｄは、キャンセル要求と共に通知されたキャンセル対象ジョブの通知を受けて、指定されたキャンセル対象ジョブが、既に印刷中であれば、印刷部１７に印刷をキャンセルさせて当該ジョブを印刷ジョブキューから削除する。このジョブ削除により、次にジョブ投入されている印刷ジョブがジョブ実行部１６ａにより実行される。ジョブ中止部１６ｄは、指定されたキャンセル対象ジョブが、印刷待ち中の印刷ジョブであれば、単に印刷ジョブキューから削除する。
【００４７】
例えば、図４のＪＡ３のジョブ投入状態のとき、ステップＳ１１において、ジョブ１が選択されたキャンセル要求を受けたならば、ジョブ投入状態は、ＪＡ４に遷移し、ジョブ１は、キャンセルされる。更に、ジョブ１のキャンセルが完了すると、ジョブ投入状態は、ＪＡ５に遷移し、印刷ジョブキューからジョブ１が削除されて、ジョブ実行部１６ａによりジョブ２が実行される。
【００４８】
図６のＪＣ３のジョブ投入状態のときには、ステップＳ１１において、ジョブ３が選択されたキャンセル要求を受けたならば、ジョブ投入状態は、ＪＣ４に推移し、ジョブ３は、キャンセルされる。更に、ジョブ３のキャンセルが完了すると、ジョブ投入状態は、ＪＣ５となり、印刷ジョブキューからジョブ３が削除される。このジョブキャンセルの指示をトリガとしてログオフ処理が実行される。ログオフキー押下の必要はない。
【００４９】
ステップＳ１４において、ログイン処理部１３は、保持していた利用者ＩＤを削除するログオフ処理を実行する。ステップＳ１５において、ログイン処理部１３は、ジョブ処理部１６に印刷停止中の印刷ジョブが存在するか否かを問い合わせ、存在したときには（ＹＥＳ）、ステップＳ１６へ進む。存在しないときには（ＮＯ）、本処理を終了する。
【００５０】
ステップＳ１６において、印刷停止中の印刷ジョブが存在したときには、ジョブ処理部１６のジョブ再開部１６ｃは、印刷停止中の印刷ジョブの印刷を再開する。例えば、図６のＪＣ５のジョブ投入状態のときに、ステップＳ１４において、ログオフ処理したならば、ジョブ投入状態はＪＣ６に遷移してジョブ１の印刷を再開し、本処理を終了する。
【００５１】
（実施例１の効果）
本実施例１の画像処理装置１０によれば、投入済みの印刷ジョブの実行を停止させるときには、ログイン処理を実施することなく、ジョブ停止部１６ｂにより、印刷中の印刷ジョブを停止することができる。そのため、印刷ジョブの停止に時間をかけることなく、迅速に印刷中の印刷ジョブを停止することが可能となる。更に、印刷ジョブの停止後にログイン処理部１３において、ログインを行い、停止した印刷ジョブがログインした利用者と関連しない場合には、ジョブ再開部１６ｃにより、停止した印刷ジョブの印刷を再開させるので、他の利用者のジョブの実行を妨げることがない。
【実施例２】
【００５２】
（実施例２の構成）
図１０は、本発明の実施例２における画像処理装置１０Ａを示す構成図であり、実施例１を示す図１中の要素と共通の要素には共通の符号が付されている。
【００５３】
本実施例２における画像処理装置１０Ａは、タイマ２０ａを有し、時間を計時するタイマ部２０が追加されている点が実施例１と異なっている。他の構成は、実施例１と同様である。
【００５４】
タイマ部２０は、制御部１１の指示により、タイマ２０ａを起動し、所定の時間が経過した場合には、タイマ２０ａをリセットして所定時間の経過を制御部１１に通知する機能を有している。
【００５５】
（実施例２の動作）
図１１は、図１０の画像処理装置１０Ａに対する印刷ジョブの投入状態の例を示す図である。
【００５６】
図１１において、ジョブ１、ジョブ２、及びジョブ３の３つの印刷ジョブが投入されている。図１１において、横方向は、印刷順序を示している。印刷順序は、ジョブ１、ジョブ２、ジョブ３の順である。図１１において、縦方向は、時間の経過に伴う印刷ジョブキューの状態変化を示している。印刷ジョブキューの状態変化は、例えば、ＪＤ１，ＪＤ２，ＪＤ３の順に経過することを示している。
【００５７】
図１１のＪＤ１のジョブ投入状態では、ジョブ１の利用者ＩＤが０００１、ファイル名がテストファイルＡ、ジョブの状態が印刷中であり、ジョブ２の利用者ＩＤが０００２、ファイル名がテストファイルＢ、ジョブの状態が印刷待ち中であり、ジョブ３の利用者ＩＤが０００２、ファイル名がテストファイルＣ、ジョブの状態が印刷待ち中であることを示している。操作部１２のストップキー１２ｃが押下されると、ジョブ停止部１６ｂは、印刷中のジョブ１を印刷停止中にして、ＪＤ２のジョブ投入状態に遷移する。ＪＤ２では、ジョブ１が印刷停止中になっている。
【００５８】
ＪＤ２のジョブ投入状態において、ログインが行われずに一定時間が経過すると、ＪＤ３のジョブ投入状態に遷移する。ＪＤ３では、ジョブ１の印刷が再開され、ジョブの状態が印刷中になっている。
【００５９】
図１２は、本発明の実施例２における図１０の画像処理装置１０Ａの動作を示すフローチャートであり、実施例１を示す図９中のステップと共通のステップには共通の符号が付されている。
【００６０】
本実施例２のフローチャートは、実施例１と同様のステップＳ１〜Ｓ１６に対して、新たに、ステップＳ２１〜Ｓ２３が追加されている。
【００６１】
実施例１と同様のステップＳ１〜Ｓ４が実行され、ジョブ処理部１６のジョブ停止部１６ｂにより、現在、印刷部１７で印刷中のジョブが停止させられる。例えば、図１１のＪＤ１のジョブ投入状態であれば、ジョブの停止により、ジョブ投入状態は、ＪＤ２の状態となり、ジョブ１が印刷を停止して印刷停止中になる。ジョブが停止されると、操作部１２は、図７に示すログイン用の待機画面をＬＣＤパネル１２ａに表示する。
【００６２】
実施例１と異なるステップＳ２１において、タイマ部２０は、タイマ２０ａを起動して経過時間を計時する。実施例１と同様のステップＳ５において、ログイン要求があったか否かが判定される。ログイン要求があったときには（ＹＥＳ）、ステップＳ６へ進み、実施例１と同様のステップＳ６〜Ｓ１６が実行され本処理を終了する。ログイン処理がなかったときには（ＮＯ）、ステップＳ２２へ進む。
【００６３】
ステップＳ２２において、タイマ部２０は、所定時間が経過したか否かを判定する。所定時間が経過していないときには（ＮＯ）、ステップＳ５に戻る。タイマ部２０は、所定時間が経過したときには（ＹＥＳ）、ジョブ再開部１６ｃに所定時間の経過を通知してタイマ２０ａをリセットし、ステップＳ２３へ進む。ステップＳ２３において、ジョブ再開部１６ｃは、停止中のジョブの印刷を再開させ、ステップＳ１に戻り、本処理を終了する。例えば、図１１において、ジョブ投入状態がＪＤ２であるときに所定時間が経過するとジョブ投入状態は、ＪＤ３に遷移して、印刷停止中であったジョブ１が印刷中になる。
【００６４】
（実施例２の効果）
本実施例２の画像処理装置１０Ａによれば、実施例１の効果に加え、ジョブ停止部１６ｂＡによる印刷ジョブの停止後、ログインされずに所定の時間が経過したときには、ジョブ再開部１６ｃにより、停止した印刷ジョブの印刷を再開させるので、他の利用者の印刷ジョブの実行を妨げることがない。
【００６５】
（変形例）
本発明は、上記実施例１、２に限定されず、種々の利用形態や変形が可能である。
【００６６】
例えば、実施例１、２では、画像処理装置１０，１０Ａとして電子写真方式のページプリンタで説明したが、ファクシミリ装置や複合機であってもよい。更に、実施例１、２では、ジョブとして印刷ジョブを例に説明したが、ファクシミリ送信ジョブや電子メール送信ジョブ等であってもよい。
【符号の説明】
【００６７】
１０，１０Ａ                          画像処理装置
１１                                  制御部
１２                                  操作部
１３                                  ログイン処理部
１４                                  利用者情報記憶部
１５                                  利用者情報照合部
１６                                  ジョブ処理部
１６ａ                                ジョブ実行部
１６ｂ，１６ｂＡ                      ジョブ停止部
１６ｃ                                ジョブ再開部
１６ｄ                                ジョブ中止部
１７                                  印刷部
１８                                  リスト表示部
２０                                  タイマ部
４０（４０−１，・・・４０−Ｎ）      情報処理部
【図１】
2013045333.tif 000003
【図２】
2013045333.tif 000004
【図３】
2013045333.tif 000005
【図４】
2013045333.tif 000006
【図５】
2013045333.tif 000007
【図６】
2013045333.tif 000008
【図７】
2013045333.tif 000009
【図８】
2013045333.tif 000010
【図９】
2013045333.tif 000011
【図１０】
2013045333.tif 000012
【図１１】
2013045333.tif 000013
【図１２】
2013045333.tif 000014